(57)【要約】【課題】竹材で弦楽器を作るとき薄い短冊を作りそれらをいろいろの方法で組み合わせて、幅と厚みが作られているが手間がかかりすぎる為普及していない。【解決手段】その部材は竹片を可能な限り厚み保ち、接着面をすくなくする、即ち円筒形の竹を割き断面を円弧形のまま成型、内皮面と外皮面を連続して張り合わせて厚板状の集成材にする。【選択図】図２
2020134914.tif 000002
【特許請求の範囲】
【請求項１】
従来弦楽器を構成する木製部材を竹の集成材で構成、その構成材は円筒形の竹材を細く割き、竹片としてその接着面の断面が三日月形を保つよう、凹形刃と凸形刃を使用して曲面のあり、尚且つ上下の肉厚のちがいを保った竹片を作り、この竹片を連続して張り合わせて、しかも肉厚の薄い上部と肉厚の厚い下部を互い違いに組み合わせて厚板状に集成した事を特徴とする弦楽器。
【請求項２】
円筒形竹材を細く割き、竹片としてその接着面を平らに切削、しかも上下の肉厚の違いを保ちながら曲面のみを切削加工し、肉厚の薄い上部と肉厚の厚い下部を互い違いに組み合わせて板厚状に集成したことを特徴とした弦楽器。
【発明の詳細な説明】
【技術分野】
【０００１】  本発明は、弦楽器に関するものである。
【背景技術】
【０００２】  従来の弦楽器構成部材は大部分を木材が使用されているが、近年先行文献にある様に一部竹材が導入されたが現状は加工難度が高く殆ど普及していない。【０００３】  また特許文献２で使用されている部位が硬質部分のみで軟質部分は捨てているので低音の反応が著しく劣る。【０００４】  特許文献２の００３３に竹材は世界各地で産するとあるがこの発明の対象になる竹は孟宗竹で東南アジアと日本で産出されていますが、四季に恵まれた日本産の竹は発明家のエジソンが白熱電球の炭素フェラメントに選び使用しているように品質はとても良い。
【先行技術文献】
【特許文献】
【０００５】
【特許文献１】特開平１１−３１６５８３
【特許文献２】特開２０１１−５３２６８
【発明の概要】
【発明が解決しようとする課題】
【０００６】  竹材を使用の弦楽器が発明されてから２０年になる、しかし一部で細々と制作されてはいるが全く普及していない。それは加工が難しくコストが木材製に比べて高くなるからである。【０００７】  竹材の内部は図１で示すようになっていて、根元は肉厚が厚く、先端は肉厚が薄くなっています。外皮は固く、内側は柔らかい。音の伝わりは高い音は固い部分で、低い音は柔らかな部分で良く伝わります。即ち篠笛の様な高い音に特徴の笛は細くて肉厚の薄い竹が使用されます、尺八の様に低い音に特徴ある笛は太い竹で更に肉厚のある根元部分が使われています。
木材の場合必ず夏冬の年輪がある、夏期は成長が盛んで目は柔らかく、冬期は成長がゆっくりで硬い。竹にはこの年輪がない、参考文献１，２は共にこのことを配慮されていないので音のバランスが悪い、大事な部分を捨てている。すなわち低音の共振部分で竹の内部を占める柔らかい部分の働きを無視している。
【課題を解決するための手段】
【０００８】  本発明は、竹を無駄なく使用する為、すなわち接着する為の接着面を均等に切削加工しなければならないがその部分が最小限になるようにした。即ちプレナーの様に厚みを均一にしないで、手押しカンナで表面のみ均一カットして根元部分と先端部分との厚みに違いが出来る加工方法で解決する。加工難度は接着加工回数が大幅に減少する為低くなる。
【発明の効果】
【０００９】  音を言葉で説明することは難しいが竹材を使用したギターの音は東洋的な魅力ある音である事は使用者の共通の感想です。現在竹材を使用したギターは余り普及していないが、本発明の竹材使用のギターが普及すれば今まで輸入品に頼っていた原材料を国内で調達する事が出来る様になる。
【図面の簡単な説明】
【００１０】
【図１】図１は円筒形の竹を縦に割った断面図。
【図２】図２は集成した胴体用材上面図（実施例１）
【図３】図３は図２で示した胴体用材の請求項２に該当するＡ−Ａ断面図
【図４】図４は図２で示した胴体用材の請求項１に該当するＡ−Ａ断面図
【図５】図５は集成したネック用材
【図６】図６は図５示したネック用材の請求項１に該当するＢ＝Ｂ断面
【図７】図７は図５示したネック用材の請求項２に該当するＢ＝Ｂ断面図
【図８】図８はギターの完成図
【発明を実施するための形態】
【００１１】  本発明の実施形態を図面１より順を追って説明する、以下において説明する、実施形態はエレキギターに適用した場合を示す。
【実施例１】
【００１２】  使用する竹材は地上３０センチから、上に３メートル位、根元の直径が１２センチ以上の太い竹で、上部の肉厚が１０ミリ、根元部の肉厚は１５ミリ位の竹材を使用する。初めに根元部分から胴体用材（５０センチ位Ｘ４）の円筒のまま切り出し、先端の肉厚が薄い部分はネック用材。
次に円筒形の竹を縦に割く（１片の幅が２０ミリから３０ミリ）。【００１３】  上記竹材の節部分は外側、内側共に出っ張りがあるので削って滑らかにそぎ落とし、次に接着面を片面ずつ手押しカンナで平らに均すと両端の厚みが違う竹片になる。【００１４】  図２で示した長方形に集成する為には上下同数の割合で集成、これを２段又は３段重ねにして胴体用材が出来る。（図は２段重ね）【００１５】  請求項１について補足説明、図４、図６で示すように竹片の三日月形を維持した接着方法は接着圧力が逃げるために重ねて圧力を掛ける事が出来ない為、一枚ずつ重ねて接着することになる。今の段階では効率が悪いがこの工法は竹片の肉厚が最大限使用できるので欠かすことはできない。特にネック用材には最適で、三日月形の少し窪んだ形が弦の張力による、ネックの反り返りに対して反発するスプリング効果がある。【００１６】  胴体用材は肉厚のある材料が良い、ギターは抱えて演奏する楽器なので構造上低音の出力が弱い、０００８でも述べたが楽器はすべての周波数に適応する部位が必要である。特に胴体は低い音に効果のある肉厚のある部分を使用することでその弱点を補うことが出来る。【００１７】  良く透る音、割れる音。良く透る音とは、楽器の持つ大事な要素の一つが音の遠達性が良いことである、音圧を受ける、イメージとしては音が塊になって飛んでいる感じである。こうした特徴は周波数帯に幅のある素材（よく吟味された）が使用されている弦楽器は共に持ち合わせている。
割れる音とは、楽器は大きい音が出れば良いと考えるのは間違いで、近くでは普通に聴こえるが遠くでは雑音になってよく聴き取れない、強く弦を弾いてもそれほど音量が出ない、即ち材料の周波数帯のバランスが悪いから音に纏まりがない。
音の増幅は周波数が一致する事であり、音は波で伝わるが、いろいろと複雑で簡単には説明できないが、１、高い音は硬い部分が、低い音は柔らかい部分が伝わりやすい。２、角張った部分とか、薄いところは高い音が良く響く、丸まった形の部分や平らで厚い部分は低い音に反応する。
理想は可聴範囲の周波数に同調する音域を持っている素材を選ぶ事がが望ましい、竹材もその一つでそうした要素を持っていると考えています。
【産業上の利用可能性】
【００１８】  ００１０でも記述したが楽器用材料の木材は外国からの輸入に頼っているが、楽器に適した木材の多くはワシントン条約で禁止されているので入手に近年では困難をきたしている。
国内には質の良い竹材が十分にある。楽器は材料が変われば音も変わる、竹材楽器はほとんどが笛で弦楽器に使用例はギターのみですが大型のピアノとかハープにも活用できる考えています。
竹は成長が早く５年で楽器製作に最適な状態になるので各地で邪魔者扱いになっている放置竹林が有望な資源に替わる可能性がある。これらの竹林は過疎地に多いが楽器制作で若い人が集まれば地域の活性になる。
【符号の説明】
【００１９】１      竹片の上端部
２      竹片の下端部
イ      円筒形の竹を縦に割いた図
ロ      胴体用材図（胴体、点線図）
ハ      ネック用材図（ネック、点線図）
▲１▼  糸巻き
▲２▼  フレット
▲３▼  指板
▲４▼  ピックアップ
▲５▼  ブリッジテルピース
▲６▼  ジャック受
【図１】
2020134914.tif 000003
【図２】
2020134914.tif 000004
【図３】
2020134914.tif 000005
【図４】
2020134914.tif 000006
【図５】
2020134914.tif 000007
【図６】
2020134914.tif 000008
【図７】
2020134914.tif 000009
【図８】
2020134914.tif 000010
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
従来弦楽器を構成する木製部材を竹の集成材で構成、その集成材は円筒形の竹材を細く割き、竹片としてその長手方向に垂直な面における断面が円弧形で、尚且つ上下の肉厚のちがいを保った竹片を作り、この竹片の内皮面と外皮面を連続して張り合わせて、しかも肉厚の薄い上部と肉厚の厚い下部を１個又は複数個ずつ交互に並べて厚板状に集成した事を特徴とする弦楽器。
【請求項２】
従来弦楽器を構成する木製部材を竹の集成材で構成、その集成材は円筒形の竹材を細く割き、竹片としてその接着面である内皮面及び外皮面を平らに切削、しかも上下の肉厚の違いを保ちながら曲面のみを切削加工し、肉厚の薄い上部と肉厚の厚い下部を互い違いに組み合わせて厚板状に集成したことを特徴とした弦楽器。
【手続補正２】
【補正対象書類名】明細書
【補正対象項目名】００１５
【補正方法】変更
【補正の内容】
【００１５】  請求項１について補足説明、図４、図６で示すように竹片の円弧形を維持した接着方法は接着圧力が逃げるために重ねて圧力を掛ける事が出来ない為、一枚ずつ重ねて接着することになる。今の段階では効率が悪いがこの工法は竹片の肉厚が最大限使用できるので欠かすことはできない。特にネック用材には最適で、円弧形の内皮面が少し窪んだ形が弦の張力による、ネックの反り返りに対して反発するスプリング効果がある。